(57)【特許請求の範囲】
【請求項１】
プール水の殺菌消毒に塩素ガス、塩素化イソシアヌル酸及びクロロブロモジメチルヒダントを用いてプール水の消毒を行う方法において、プール水の循環ろ過系に、珪酸性スラグからのみなる中和剤を充填した容器を設け、該容器内でプール水と中和剤を接触せしめ、該中和剤をプール水の循環水に溶解させる事により、プール水のｐＨを６〜８に制御する事を特徴とするプール水の消毒方法。
【請求項２】
中和剤が粒状で、該粒径が３〜２０ｍｍの範囲である請求項１記載のプール水の消毒方法。
【発明の詳細な説明】
【０００１】
【産業上の利用分野】
本発明はプール水の消毒方法に関する。更に詳細に説明するとプール水の殺菌消毒に塩素ガス、塩素化イソシアヌル酸及びクロロブロモジメチルヒダントを用いてプール水の消毒を行う方法において、プール水のｐＨを６〜８に制御する方法に関する。
【０００２】
【従来の技術】
従来より、プール水の消毒方法としては、直接プール水中に高度晒粉、塩素化イソシアヌル酸等を投入したり、或いは高度晒粉、塩素化イソシアヌル酸等を入れた薬剤容器内にプール循環水を流入させ薬剤の一部を溶解させるとか、塩素ガス或いは次亜塩素酸ナトリウム水溶液を、プール水中に注入し、プール水中の残留塩素濃度を一定濃度に維持する方法が行われている。
【０００３】
近年、プールの普及に伴って、プール水の殺菌消毒剤として従来から使用されていた次亜塩素酸ナトリウム水溶液や高度晒粉に代わって塩素化イソシアヌル酸の顆粒や錠剤が製品の安定性、使用上の簡易さ、遊泳者の快適さなどの点から、広く使用されるようになってきた。
【０００４】
【発明が解決しようとする課題】
これらの従来の方法で塩素化イソシアヌル酸等を用いてプール水中の残留塩素濃度を一定にするには使用可能であるが、プール水の原水がｐＨの緩衝効果の小さい（Ｍ−アルカリ度が低い）水の場合、或いはプール水の入替え（換水）が少ない場合には、塩素化イソシアヌル酸を殺菌消毒剤として使用していると、プール水のｐＨが低下する問題がある。
【０００５】
これに対して、従来の対応技術は、毎日、塩素化イソシアヌル酸相当量の炭酸ナトリウム（ソーダ灰）等の中和剤を投入したり、定期的にｐＨを測定して中和したり方法で対処されている。
これらの方法では、中和剤を投入する方法は面倒であり、投入を忘れる事もあり、また、定期的にｐＨを測定し中和する方法も、ｐＨの測定が困難であり中和剤を入れた後のｐＨの測定が同様に困難である。
【０００６】
又、本出願人は、残留塩素とｐＨの自動制御方法を特開平４−２００７９１号及び特開平５−２１４４１３号として出願しているが、これらの方法は、確実の制御出来るが装置コストが高いという問題がある。
本発明者等は上記のプール水の消毒方法における問題を種々研究の結果、カルシウムまたはマグネシウムの酸化物、水酸化物及び炭酸塩、カルシウムおよび／またはマグネシウムの酸化物または珪酸塩を主成分とするスラグ並びにカルシウムおよび／またはマグネシウムの珪酸塩を主成分とする無機鉱物から選ばれる少なくとも１種の化合物を中和剤とし、プール水の循環ろ過系に用いることで、上述の問題が解決できることを見出し本発明を完成した。
【０００７】
本発明の目的は、塩素ガス、塩素化イソシアヌル酸及びクロロブロモジメチルヒダントを用いてプール水の消毒方法において、プール水のｐＨ低下を防止するプール水の消毒方法を提供することにある。
【０００８】
【課題を解決するための手段】
即ち、本発明はプール水の殺菌消毒に塩素ガス、塩素化イソシアヌル酸及びクロロブロモジメチルヒダントを用いてプール水の消毒を行う方法において、プール水の循環ろ過系に、珪酸性スラグからのみなる中和剤を充填した容器を設け、該容器内でプール水と中和剤を接触せしめ、該中和剤をプール水の循環水に溶解させる事により、プール水のｐＨを６〜８に制御する事を特徴とするプール水の消毒方法に関する。
【０００９】
以下、本発明を詳細に説明する。本発明に用いる消毒剤としての塩素化イソシアヌル酸とはトリクロロイソシアヌル酸、ジクロロイソシアヌル酸ナトリウム及びジクロロイシシアヌル酸ナトリウムの２水塩等が挙げられる。
本発明で中和剤として用いるカルシウムおよび／またはマグネシウムの酸化物を主成分とするスラグは非珪酸性スラグとも呼ばれ、カルシウムおよび／またはマグネシウムの珪酸塩を主成分とするスラグは珪酸性スラグと呼ばれる。これらのスラグの中で珪酸塩を主成分とする珪酸性スラグの方が、製鉄溶鉱炉からでるスラグとして入手が容易で、またプール水のｐＨを６〜８に制御する効果も優れており好ましい。
【００１０】
また、本発明で中和剤として用いるカルシウムおよび／またはマグネシウムの珪酸塩の無機鉱物としては具体的には、ワラストナイト、ランキナイト及びハルトライト等の結晶系を持つ無機鉱物が好ましい。尚、珪酸性スラグもワラストナイトの結晶系を持つものが入手可能である。
上記した中和剤以外に、カルシウムまたはマグネシウムの酸化物、水酸化物及び炭酸塩も中和剤として好ましい。
【００１１】
上記した本発明で用いる中和剤は、単品で用いてもよく、１種以上併せて使用しても良い。中和剤の形状は取扱上、粒状が好ましくその粒径は、同様に取扱上３〜２０ｍｍの範囲が好ましい。
本発明に用いる中和剤の使用方法としては、プール水の循環ろ過系に、中和剤を充填した容器を設け、該容器内にプール水の循環水を流入させ、該中和剤をプール水の循環水に溶解させる事によりプール水のｐＨを６〜８に制御する。より具体的には、循環水が流入するようにした筒状の容器に３〜２０ｍｍの大きさの粒状の中和剤を充填したり、或いは、穴の開いた例えば網み目状の袋に前記の粒径の粒状の中和剤を入れプールのバランシングタンクに沈める方法が適用される。好ましい、プール水のｐＨの制御方法は、プール水の循環ろ過ラインに中和剤専用の薬筒を設け、これに前記中和剤を充填し、プール水を通水する方法である。この際に薬筒に中和剤を入れる際に網み目状の袋で包装された中和剤を入れ、薬筒に設置する方法がより好ましい。
【００１２】
薬筒は、循環ラインの中で、循環水を通すパイプと薬筒の流入口と排水口で接続できるようにした機構を持つものなら特に限定しない。用いる薬筒の材質は、薬剤およびその水溶液により腐蝕されないものであればよく、特に規定しないが、通常は塩化ビニール（塩ビ）、ポリエチレン、ポリプロピレン等のプラスチックが好ましい。
【００１３】
プール水の原水がｐＨの緩衝効果の小さい（Ｍ−アルカリ度が低い）水の場合、或いはプール水の入替え（換水）が少ない場合には、本発明方法は特に有効である。また、本発明方法では、一度設置すると長期間ｐＨを６〜８の範囲内に制御する事が可能であるばかりか、中和剤が溶けすぎてアルカリ性に傾く懸念は全くないのが特徴である。
【００１４】
【実施例】
以下実施例と比較例をもって本発明を更に詳細に説明する。
比較例１
一日の遊泳者数９０〜１４７人が使用する３５０トンの循環式プールに於いて、プール水循環ラインに設けた薬剤溶解器によりトリクロロイソシアヌル酸の顆粒（錠剤）が１日当たり平均  1 ｋｇ溶解させて、ｐＨの変化を観察した。
【００１５】
尚、このプールで使用する水のＭ−アルカリ度は平均１５度で、１日の水の入替え量は平均１０トン（換水率２．９％）である。
プール開始日はｐＨ７．２であったが、７日後には６．７、１４日後には５．８に低下した。
【００１６】
比較例２
比較例１と同様な条件でプールの管理を実施しながら、１週間に１度、プール水のｐＨを測定し数度に分けて無水炭酸ナトリウムを投入して中和を行った。その結果を表─１に示すが、この方法ではプール水が均一に中和されるのに時間がかかり中和作業が困難であった。
【００１７】
実施例１
比較例１と同様な条件でプールで、中和剤として珪酸性スラグ（製鉄溶鉱炉スラグ、５〜２０ｍｍの粒  ＣａＯ４３重量％、ＳｉＯ2 ５２重量％、Ｆｅ2 Ｏ 3０．４重量％、ＭｇＯ０．４重量％、結晶系  ワラストナイト）を２ｍｍの網（ポリエチレン製）の袋に１０ｋｇを入れ、これを専用の薬筒に入れプール水のろ過循環ラインに設置してｐＨを調整した。ｐＨの変化を表１に示すが、１ケ月経過後も殆どｐＨの低下はなく中性を保っていた。
【００１８】
実施例２
比較例１と同様な条件のプールで、中和剤として珪酸性スラグ（製鉄溶鉱炉スラグ）１５ｋｇを２ｍｍの網（ポリエチレン製）の袋に入れプールのバランシングタンクに沈めておいて、ｐＨを調整した。ｐＨの変化を表１に示すが、１ケ月経過後も殆どｐＨの低下はなく中性を保っていた。
【００１９】
実施例３
比較例１と同様な条件のプールで、中和剤として酸化マグネシウムの粒（４〜１０ｍｍ）１０ｋｇを２ｍｍの網（ポリエチレン製）の袋に入れプールのバランシングタンクに沈めておいて、ｐＨを調整した。ｐＨの変化を表１に示すが、１ケ月経過後も殆どｐＨの低下はなく中性を保っていた。
【００２０】
【表１】
0003711578.tif 000002
【００２１】
【効果】
表１に示すように、塩素化イソシアヌル酸を殺菌消毒剤として用いる際のｐＨ低下を、本発明方法により容易にプール水のｐＨを長期間６〜８に制御することが出来る。